(57)【要約】【課題】縫製模様のパターンの全体を透明窓部を通して覗視できるミシンの模様表示装置の提供。【解決手段】複数の縫製模様のパターン２２ａが円周方向に等間隔に表示された縫製模様表示板２２を、回転部材２０に相対回転可能に同軸的に装着した後、前記縫製模様表示板２２を弾性手段２３で前記回転部材２０に押圧して一体化せしめ、前記回転部材２０が回転操作されるとき、前記複数の縫製模様のパターンの一２２ａがミシン前面パネル９６の透明窓部９７を介してミシン前面から覗視できるようにした、ミシンの模様表示装置を構成した。【選択図】      図２
2004321228.tif 000002
【特許請求の範囲】
【請求項１】
複数の縫製模様のパターンが円周方向に表示された縫製模様表示板を、回転部材に相対回転可能に同軸的に装着した後、前記縫製模様表示板を弾性手段で前記回転部材に押圧して一体化せしめ、前記回転部材が回転操作されるとき、前記複数の縫製模様のパターンの一がミシン前面パネルの透明窓部を介してミシン前面から覗視できるようにした、ミシンの模様表示装置。
【発明の詳細な説明】
【０００１】
【発明の属する技術分野】
本発明は、ミシンの模様表示装置に関する。
【０００２】
【従来の技術】
従来のミシンの模様表示装置は、縫製模様表示板上に表示された複数の縫製模様パターンの内の一つを、作業者の前記縫製表示板の回転操作により、ミシン前面パネルの透明窓部を介してミシン前面から覗視可能ならしめるように構成される（例えば、特許文献１参照）。
【０００３】
【特許文献１】
特許第３１６３６８８号公報  （第１〜３頁、図１〜６）
【０００４】
【発明が解決しようとする課題】
しかして、縫製表示板の回転操作は、操作ダイアルの回転を伝達機構を介して縫製表示板に伝えることによりなされるが、この操作は、同時にカム選択操作も兼ねるものである。従って、選択された縫製模様パターンは、当該カムに接触子が係合すると同時に、透明窓部から覗視できるようになっている。ところが、伝達機構の組み付け時の製造誤差その他の理由（特に伝達機構に樹脂製歯車が多数使用されている場合）により、接触子のカムの係合時、このカムに対応する縫製模様のパターン（つまり選択された縫製模様のパターン）が止まった位置（停止角位置）が透明窓部の位置（固定角位置）と位相がずれることがあり、透明窓部を通して、縫製模様のパターンの全体を覗視できないという不具合があった。
【０００５】
それ故に、本発明は、かような不具合が惹起されないミシンの模様表示装置を提供することを、その技術的課題とする。
【０００６】
【課題を解決するための手段】
上記した課題を解決するために講じた技術的手段は、「複数の縫製模様のパターンが円周方向に表示された縫製模様表示板を、回転部材に相対回転可能に同軸的に装着した後、前記縫製模様表示板を弾性手段で前記回転部材に押圧して一体化せしめ、前記回転部材が回転操作されるとき、前記複数の縫製模様のパターンの一がミシン前面パネルの透明窓部を介してミシン前面から覗視できるようにした、ミシンの模様表示装置」を構成したことである。
【０００７】
【発明の実施の形態】
以下、添付図面に依拠して、本発明にかかるミシンの模様表示装置の一実施形態について説明する。
【０００８】
図１〜図４に示すように、ミシン９０のアーム９２に回転自在に支承された上軸１にはウォームギア２が固定される。しかして、このウォームギア２は模様カム群３のウォームホィール部３ａと噛合しており、上軸１が回転すると、上軸１と一体回転するウォームギア２により、ウォームホィール部３ａ及び模様カム群３が、１／１８に減速されて回動する。尚、上軸１の端部は、アーム９２の外部に位置するハンドホィール４に連結されている。
【０００９】
模様カム群３は、略コの字状を成した模様発生装置取り付け枠５の上壁部５ａから下壁部５ｂに貫くカム軸６により回動自在に軸支されている。同じく模様選択カム７も、カム軸６により回動自在に軸支されている。模様選択カム７は、外周に階段状の選択カム部７ａと離脱カム部７ｂと複数の円錐状歯部７ｃを有していて、周知のように、選択カム部７ａと離脱カム部７ｂとの働きにより接触指（図示略）を移動し、模様を選択できる。
【００１０】
ギアーブラケット８は、一対の縦壁８ａを有し縦壁８ａには穴８ｂがあいている。この穴８ｂには模様選択ダイアル軸９が回動自在に嵌入しており、端部にはミシン外部から操作可能な模様選択ダイアル１０が嵌合している。前記模様選択ダイアル軸９にはセレーション部９ａが設けられていて模様選択ダイアル１０のボス部１０ａと噛み合っていて模様選択ダイアル１０を回動するとその回転力が模様選択ダイアル軸９に伝えられる。第１の模様選択ギアー１１は、ねじギアーであり前記ギアーブラケット８の縦壁８ａに挟まれるように配置されていて、止めねじ８６により選択ダイアル軸９に固着されている。そして、模様選択ダイアル軸９は止め輪１３により軸方向が規制され、前記ギアーブラケット８の縦壁８ａの穴８ｂから抜けることはない。
【００１１】
第２の模様選択ギアー１４は、前記第１の模様選択ギアー１１と噛み合いその回転を減速し、尚且つ回転方向を９０度転換するねじギアー部１４ａと、小平歯車部１４ｃと、前記模様選択カム７の円錐状歯部７ｃと噛み合う大平歯車部１４ｂを有している。軸１２は、前記ギアーブラケット８に固着され先端部は、段部１２ａが形成されていて前記第２の模様選択ギアー１４が嵌入され止め輪１５が段部１２ａに差し込まれ第２の模様選択ギアーの軸方向を係止している。ギアーブラケット８は、ねじ１６により模様発生装置取り付け枠５の下壁部５ｂに固着されている。
【００１２】
模様表示板ブラケット１７は板状を成し、中央上部には軸１９が固着されていて模様表示ギアー２０が回動自在に挿入されている。そして、模様表示ギアー２０は、止め輪２５により抜け止めされる。模様表示ギアー２０は、平歯車部２０ａが端部に設けられていて前記第２の模様選択ギアー１４の小平歯車部１４ｃと噛み合っている。また、他端にはボス部２０ｂが形成されていて摩擦材２１、模様表示板２２が回動自在に嵌入されていてウェーブワッシャー２３を介して止め輪２４を押し込み係止されている。摩擦材２１は、ゴムシートやエラストマー等弾性があり摩擦係数の大きいものが良い。
【００１３】
模様表示板２２には１６個の縫製模様パターン２２ａが放射状に印刷されていて、フロントパネル９６に設けられた透明の窓９７を通して視認乃至覗視できるよう配置されている。
【００１４】
今、所望の模様を選択しようとした場合、模様選択ダイアル１０を手で回転すると、これに連動して模様選択ダイアル軸９が回転し、模様選択ダイアル軸９と一体の第１の模様選択ギアー１１が回転する。すると、第１の模様選択ギアー１１と噛み合っている第２の模様選択ギアー１４が減速されてしかも、９０度方向を変えて回転する。しかして、第２の模様選択ギアー１４の大平歯車部１４ｂは、模様選択カム７の円錐状歯部７ｃと噛み合っているので，模様選択カム７は回転し、図示されない接触指が選択された縫製模様に対応するカムと係合し、模様が選択される。
【００１５】
他方、第２の模様選択ギアー１４の小平歯車１４ｃは、模様表示ギアー２０と噛み合っている為、摩擦材２１を介して押し付けられている模様表示板２２も一体となって回転する。これにより、縫製模様選択の作業は完了し、窓２７を通して縫製模様のパターン２２ａが視認できる。
【００１６】
ここで万が一、透明窓部２７の角位置と縫製模様のパターン２２ａの角位置がずれていたとすると、模様表示板２２を手で回転させてやればよい。すなわち、模様表示板２２と摩擦板２１、あるいは模様表示ギアー２０と摩擦板２１の保持トルクを超えた回転力を与えることにより、模様表示板２２が模様表示ギアー２０に対して相対回動して両者間の位相差を変える事が出来、これにより透明窓部２７と縫製模様のパターン２２ａの角位置（位相）のずれを修正することが出来る。かくして、各縫製模様のパターンパターン２２ａの全体を見栄え良く透明窓部２７から覗視することが出来る。
【００１７】
以上、本発明の実施の形態について説明したが、本発明は上述した実施の形態に限定される意図はなく、本発明の趣旨に沿った形態のミシンの模様表示装置であれば、どのようなものでもよい。
【００１８】
【発明の効果】
請求項１の発明によれば、複数の縫製模様のパターンが円周方向に等間隔に表示された縫製模様表示板を、回転部材に相対回転可能に同軸的に装着した後、前記縫製模様表示板を弾性手段で前記回転部材に押圧して一体化せしめ、前記回転部材が回転操作されるとき、前記複数の縫製模様のパターンの一がミシン前面パネルの透明窓部を介してミシン前面から覗視できるようにした、ミシンの模様表示装置を構成したので、縫製模様表示板を適宜回動すれば、各縫製模様のパターンと透明窓部との角位置を一致させて、各縫製模様のパターンの全体を見栄え良く透明窓部から覗視することが出来る。
【図面の簡単な説明】
【図１】本発明にかかるミシンの模様表示装置の一実施態様の正面外観図である。
【図２】図１に示すミシンの模様表示装置の主要部の断面図である。
【図３】図１に示すミシンの模様表示装置の縫製模様表示板の正面図である。
【図４】図１に示すミシンの模様表示装置の主要部の分解斜視図である。
【符号の説明】
２２・・・縫製模様表示板
２２ａ・・・縫製模様パターン
２０・・・模様表示ギャ（回転部材）
２３・・・ウェーブワッシャー（弾性手段）
９６・・・ミシン前面パネル
９７・・・透明窓部
【図１】
2004321228.tif 000003
【図２】
2004321228.tif 000004
【図３】
2004321228.tif 000005
【図４】
2004321228.tif 000006